(57)【要約】【解決手段】  透析装置１には、供給室２１ａ，２２ａと回収室２１ｂ、２２ｂと可変容積室２１ｃ、２２ｃとに区画された第１、第２チャンバ２１、２２が設けられるとともに、上記可変容積室２２ｃと可変容積室２２ｃとの間で上記液体を送液するシリコーンオイルポンプＰ３（給排ポンプ）が設けられている。  上記給液通路２３に、当該給液通路内の圧力を逃す第２開閉弁Ｖ１２（圧力開放バルブ）を設ける。  一方のチャンバが上記透析器に新鮮透析液を供給するとともに使用済透析液の回収を行い、上記給排ポンプが一方のチャンバの可変容積室から他方のチャンバの可変容積室へと液体を送液する間に、これにより上昇する当該他方のチャンバの内圧を上記第２開閉弁によって逃すようになっている。【効果】  除水時における上記給液通路の内圧上昇を抑えることができる。【選択図】  図２
2014008143.tif 000002
【特許請求の範囲】
【請求項１】
内部が３室に区画されて、新鮮透析液を収容する供給室と、使用済透析液を収容する回収室と、液体を給排させて容積を増減させる可変容積室とを有する第１、第２チャンバと、上記供給室に新鮮透析液を供給する給液通路と、上記供給室から透析器に新鮮透析液を供給する透析液供給通路と、透析器から上記回収室に使用済透析液を回収させる透析液回収通路と、上記回収室から使用済透析液を排出する廃液通路と、上記第１チャンバの可変容積室と第２チャンバの可変容積室とを連通する連通路と、これら可変容積室の間で上記液体を送液する給排ポンプと、上記第１、第２チャンバによる上記透析器への透析液の流通および上記給排ポンプの作動を制御する制御手段とを備え、
上記一方のチャンバにおいて上記供給室から上記透析器に新鮮透析液を供給するとともに上記回収室で使用済透析液の回収を行う間に、他方のチャンバの供給室で新鮮透析液の供給を受けるとともに回収室から使用済透析液の排出を行い、これを上記第１チャンバと第２チャンバを切り替えて交互に繰り返すようにした透析装置において、
上記給液通路に当該給液通路内の圧力を逃す圧力開放バルブを設け、
上記一方のチャンバにおいて上記透析器に新鮮透析液を供給するとともに使用済透析液の回収を行い、上記給排ポンプが当該一方のチャンバの可変容積室から他方のチャンバの可変容積室へと液体を送液する間に、これにより上昇する当該他方のチャンバの内圧を上記圧力開放バルブにより逃すことを特徴とする透析装置。
【請求項２】
上記圧力開放バルブは上記制御手段によって開閉動作を制御され、
上記制御手段は上記給排ポンプが送液方向を切り替えてから所定時間後に、上記圧力開放バルブを開放させることを特徴とする請求項１に記載の透析装置。
【請求項３】
上記透析液供給通路と上記透析器に接続された血液通路との間に補充液通路を設けるとともに、当該補充液通路によって上記透析液供給通路から上記血液通路へ新鮮透析液を送液する補充液ポンプを設け、
上記制御手段は、上記補充液ポンプの作動に応じて上記第１チャンバと第２チャンバとを切り替える間隔を短縮させ、これに伴って上記給排ポンプが送液方向を切り替えてから上記圧力開放バルブを開放させるまでの時間を変更することを特徴とする請求項２に記載の透析装置。
【発明の詳細な説明】
【技術分野】
【０００１】
本発明は、一対のチャンバを介して透析液を透析器に流通させる透析装置に関し、より詳しくは、各チャンバに透析液の供給室と回収室を備えるとともに可変容積室を備え、第１チャンバの可変容積室と第２チャンバの可変容積室との間で液体の送液を行う給排ポンプを備えた透析装置に関する。
【背景技術】
【０００２】
従来、病院等に設置された透析装置は、透析液を流通させることで透析器において血液透析治療を行うようになっており、内部が新鮮透析液を収容する供給室および使用済透析液を収容する回収室に区画された第１、第２チャンバと、上記供給室に新鮮透析液を供給する給液通路と、上記供給室から透析器に新鮮透析液を供給する透析液供給通路と、透析器から上記回収室に使用済透析液を回収する透析液回収通路と、上記回収室から使用済透析液を排出する廃液通路とを備えている。
そして上記透析装置では、一方のチャンバにおいて上記透析器に新鮮透析液を供給するとともに使用済透析液の回収を行う間に、他方のチャンバで新鮮透析液の供給を受けるとともに使用済透析液の排出を行い、これを上記第１チャンバと第２チャンバを切り替えて交互に繰り返すことにより、透析器に連続的に透析液を流通させている。
また、このような透析装置において、血液から除水を行うため、上記第１、第２チャンバの供給室と回収室との間に、それぞれ液体を収容した可変容積室を形成し、これらの可変容積室の間で上記液体の送液を行う給排ポンプを備えた透析装置が知られている（特許文献１）。
このような透析装置では、一方のチャンバの回収室に透析器から使用済透析液を回収しながら、上記給排ポンプによって当該一方のチャンバの可変容積室から他方のチャンバの可変容積室へ液体を流動させている。このようにして一方のチャンバの回収室の容積を増大させることにより、透析液回収通路の内圧が低下して透析器の透析液流路の圧力も低下するので、血液流路の圧力が相対的に高くなって差圧が生じ、この差圧による限外濾過により血液から余分な水分を除水するようになっている。
【先行技術文献】
【特許文献】
【０００３】
【特許文献１】特公平３−６２１０７号公報
【発明の概要】
【発明が解決しようとする課題】
【０００４】
しかしながら、このような構成のチャンバにおいては、上記給排ポンプによって一方のチャンバの可変容積室から他方のチャンバの可変容積室へ液体を流動させると、他方のチャンバの可変容積室の容積が増大してチャンバの内圧が上昇する。
つまり、当該他方のチャンバでは、次に透析器に供給する新鮮透析液が供給室に充填され、回収室からは使用済透析液が排出された状態にあるため、これ以上の内部容積の増大に対応することができず、供給室に収容された新鮮透析液が給液通路に押し出されることとなる。
その結果、上記給液通路の内圧が上昇するため、上記給液通路を構成するチューブの接続部で液漏れが生じたり、チューブが抜け落ちてしまうという問題があった。
このような問題に鑑み、本発明は上記給排ポンプを作動させた際における上記給液通路の内圧上昇を抑えることが可能な透析装置を提供するものである。
【課題を解決するための手段】
【０００５】
すなわち、請求項１の発明にかかる透析用監視装置は、内部が３室に区画されて、新鮮透析液を収容する供給室と、使用済透析液を収容する回収室と、液体を給排させて容積を増減させる可変容積室とを有する第１、第２チャンバと、上記供給室に新鮮透析液を供給する給液通路と、上記供給室から透析器に新鮮透析液を供給する透析液供給通路と、透析器から上記回収室に使用済透析液を回収させる透析液回収通路と、上記回収室から使用済透析液を排出する廃液通路と、上記第１チャンバの可変容積室と第２チャンバの可変容積室とを連通する連通路と、これら可変容積室の間で上記液体を送液する給排ポンプと、上記第１、第２チャンバによる上記透析器への透析液の流通および上記給排ポンプの作動を制御する制御手段とを備え、
上記一方のチャンバにおいて上記供給室から上記透析器に新鮮透析液を供給するとともに上記回収室で使用済透析液の回収を行う間に、他方のチャンバの供給室で新鮮透析液の供給を受けるとともに回収室から使用済透析液の排出を行い、これを上記第１チャンバと第２チャンバを切り替えて交互に繰り返すようにした透析装置において、
上記給液通路に当該給液通路内の圧力を逃す圧力開放バルブを設け、
上記一方のチャンバにおいて上記透析器に新鮮透析液を供給するとともに使用済透析液の回収を行い、上記給排ポンプが当該一方のチャンバの可変容積室から他方のチャンバの可変容積室へと液体を送液する間に、これにより上昇する当該他方のチャンバの内圧を上記圧力開放バルブにより逃すことを特徴としている。
【発明の効果】
【０００６】
上記請求項１の発明によれば、上記給排ポンプの作動によりチャンバの内圧が上昇しても、上記給液通路に設けた圧力開放バルブを開放することによって上昇した内圧を逃がすことができ、チューブ接続部での液漏れやチューブの抜け落ちを防止することができる。
【図面の簡単な説明】
【０００７】
【図１】本実施例にかかる透析用監視装置の回路図。
【図２】上記透析用監視装置の動作を示し、（ａ）は、除水を行わない場合の動作を、（ｂ）は除水時の動作をそれぞれ示している。
【発明を実施するための形態】
【０００８】
以下、図示実施例について本発明を説明すると、図１は血液透析を行うための透析装置１の回路図を示しており、本実施例では、透析液の供給を受け、透析器への透析液の流通の制御と、患者の監視を行う透析用監視装置について示している。
本実施例の透析用監視装置１は、血液透析を行う透析器２と、当該透析器２に接続された血液回路３と、上記透析器２に接続された透析液回路４とを備え、制御手段５によって制御されるようになっている。
また本実施例の透析用監視装置１は新鮮透析液を上記血液回路３を介して患者に供給する、いわゆるオンラインＨＤＦ（血液透析濾過）を行うことが可能となっており、上記血液回路３と透析液回路４との間には補充液通路６が設けられている。
【０００９】
上記透析器２の内部は図示しない中空糸膜によって血液流路と透析液流路とに区画され、血液は血液流路を図示左方から右方に、透析液は透析液流路を図示右方から左方に、互いに逆方向に流通するようになっている。
上記血液回路３は、透析器２の端部に接続された患者から血液が流入する動脈側通路１１と、透析器２の他端に接続された患者へ血液を戻す静脈側通路１２とを備えている。
動脈側通路１１には、患者に穿刺される穿刺針１１ａと、血液を送液するチューブポンプからなる血液ポンプＰ１と、血液から空気を排除するドリップチャンバ１３とが設けられている。
上記静脈側通路１２には、血液から空気を排除するドリップチャンバ１４と、患者に穿刺される穿刺針１２ａとが設けられている。
【００１０】
図１に示すように、上記透析液回路４は、透析液を給排する同形の第１、第２チャンバ２１、２２と、上記第１、第２チャンバ２１、２２に新鮮透析液を給液する給液通路２３と、第１、第２チャンバ２１、２２から新鮮透析液を透析器２に供給する透析液供給通路２４と、透析器２を通過した使用済透析液を第１、第２チャンバ２１、２２に回収する透析液回収通路２５と、使用済透析液を第１、第２チャンバ２１、２２から排出する廃液通路２６とを備えている。
第１チャンバ２１および第２チャンバ２２の内部は２枚のダイアフラムによって３室に区画されており、新鮮透析液が収容される供給室２１ａ，２２ａと、使用済透析液が収容される回収室２１ｂ、２２ｂと、これら供給室２１ａ，２２ａと回収室２１ｂ、２２ｂとの間に形成されるとともに、液体としてシリコーンオイルを収容し、これを給排させて容積を増減させる可変容積室２１ｃ、２２ｃとを有している。
上記第１チャンバ２１の可変容積室２１ｃと第２チャンバ２２の可変容積室２２ｃとは連通路２７によって連通し、この連通路２７には給排ポンプとしてのシリコーンオイルポンプＰ３が設けられている。
このシリコーンオイルポンプＰ３によれば、上記可変容積室２１ｃと可変容積室２２ｃの間で、一方から他方へ、また、他方から一方へ、正逆に制御手段５の設定に基づく送液流量でシリコーンオイルを送液するようになっている。
例えば上記可変容積室２１ｃから可変容積室２２ｃにシリコーンオイルを送液した場合、可変容積室２１ｃの容積が減少して可変容積室２２ｃの容積が増大するが、その際減少した容積と増大した容積とは同じ容積となる。
【００１１】
上記給液通路２３には、その上流端から順に、制御手段５によって制御される第１開閉弁Ｖ１１と、新鮮透析液を送液する給液ポンプＰ４とが設けられ、下流部分は２方向に分岐してそれぞれ上記第１、第２チャンバ２１、２２の上記供給室２１ａ，２２ａに接続されている。また上記分岐部分にはそれぞれ上記制御手段５によって開閉される給液弁Ｖ１、Ｖ２が設けられている。
そして、上記給液通路２３における上記第１開閉弁Ｖ１１と上記分岐部分の間で、かつ上記給液ポンプＰ４の下流側には、圧力開放用の液通路２８が接続され、この液通路２８には制御手段５によって開閉される圧力開放バルブとしての第２開閉弁Ｖ１２が設けられている。換言すると、上記圧力開放バルブとしての第２開閉弁Ｖ１２は、上記液通路２８を介して給液通路２３に設けられている。
そして液通路２８の末端は廃液通路２６に接続されており、第２開閉弁Ｖ１２が開放されると、給液通路２３の新鮮透析液は廃液通路２６に排出されるようになっている。
【００１２】
上記透析液供給通路２４の上流部分は２方向に分岐してそれぞれ上記第１、第２チャンバ２１、２２の供給室２１ａ，２２ａに接続され、下流端は上記透析器２に接続されている。また上記分岐部分にはそれぞれ制御手段５によって開閉される供給弁Ｖ３，Ｖ４が設けられている。
また上記透析液供給通路２４における上記分岐部分よりも下流側には、透析液の有害成分を除去する第１透析液フィルタＦ１および第２透析液フィルタＦ２と、上記補充液通路６を接続する接続ポート２９とが設けられている。
このうち第１透析液フィルタＦ１には、上記透析液供給通路２４と透析液回収通路２５とを連通させるバイパス通路３０が接続され、このバイパス通路３０は第３開閉弁Ｖ１３によって開閉可能となっている。
接続ポート２９に接続された補充液通路６は、下流側の端部が上記動脈側通路１１における上記ドリップチャンバ１３に接続されている。補充液通路６には、チューブポンプからなる補充液ポンプＰ２が設けられており、補充液通路６によって透析液供給通路２４から動脈側通路１１へ新鮮透析液を送液するものとなっている。
【００１３】
上記透析液回収通路２５の上流端は透析器２に接続され、下流部分は２方向に分岐してそれぞれ上記第１、第２チャンバ２１、２２の回収室２１ｂ、２２ｂに接続され、上記分岐部分にはそれぞれ制御手段５によって開閉される回収弁Ｖ５、Ｖ６が設けられている。
また透析液回収通路２５における上記分岐部分よりも上流側には使用済透析液を送液する透析液ポンプＰ５が設けられるとともに、当該透析液ポンプＰ５は上記バイパス通路３０の接続部分よりも下流側に設けられている。
【００１４】
上記廃液通路２６の上流部分は２方向に分岐してそれぞれ上記第１、第２チャンバ２１、２２の回収室２１ｂ、２２ｂに接続されている。また上記分岐部分にはそれぞれ制御手段５によって開閉される廃液弁Ｖ７、Ｖ８が設けられている。
上記廃液通路２６における上記分岐部分よりも下流側に、上記液通路２８の下流側の端部が接続されている。
【００１５】
このような構成を有する透析用監視装置１の動作を、図２を用いて説明する。まず図２（ａ）は通常の透析治療、つまり除水（限外濾過）を行わない場合の動作を示している。
なお、図２において、各開閉弁に付した丸が白丸のものは開放されている状態を、黒丸は閉鎖されている状態を示すものとする。
まず、上記給液通路２３の給液ポンプＰ４および透析液回収通路２５の透析液ポンプＰ５は常時作動しており、この状態で第１チャンバ２１に接続した給液弁Ｖ１と廃液弁Ｖ７とが開放され、供給弁Ｖ３と回収弁Ｖ５とが閉鎖されている。
この状態では、給液ポンプＰ４の作用により、第１チャンバ２１の供給室２１ａに上記給液通路２３から新鮮透析液が流入し、これにより可変容積室２１ｃが押されて、回収室２１ｂから使用済透析液が廃液通路２６に排出される。
このとき、上記供給室２１ａに流入した新鮮透析液の量と、上記回収室２１ｂから排出される使用済透析液の量とは同一となる。
一方、上記第２チャンバ２２に接続した供給弁Ｖ４と回収弁Ｖ６とが開放され、給液弁Ｖ２と廃液弁Ｖ８とが閉鎖されている。この状態では、第２チャンバ２２の供給室２２ａに収容された新鮮透析液が、透析液ポンプＰ５の作用により透析液供給通路２４を流通して透析器２に供給されるとともに、透析器２を通過した使用済透析液が回収室２２ｂに回収される。
このときも、上記供給室２２ａから供給した新鮮透析液の量と、上記回収室２２ｂに回収される使用済透析液の量は同じになる。
【００１６】
このように、一方の第２チャンバ２２において供給室２２ａから透析器２に新鮮透析液を供給するとともに、回収室２２ｂで使用済透析液を回収する間に、他方の第１チャンバ２１では、供給室２１ａで新鮮透析液の供給を受けるとともに、回収室２１ｂから使用済透析液の排出を行うようになっており、これを第１チャンバ２１と第２チャンバ２２とで切り替えて、交互に繰り返すことにより、連続的に透析器２に透析液を流通させるようになっている。
第１チャンバ２１と第２チャンバ２２とによる透析器２に対する透析液の流通の切り替えは、上記制御手段５により行われる。
具体的には、図２（ａ）の状態において給液弁Ｖ１と給液弁Ｖ２との開閉状態を切り替えて、第２チャンバ２２の供給室２２ａへの新鮮透析液の供給を開始し、これとともに供給弁Ｖ３と供給弁Ｖ４との開閉状態を切り替えて、第１チャンバ２１の供給室２１Ａから透析器２への新鮮透析液の供給を開始する。
一方、これと合わせて回収弁Ｖ５と回収弁Ｖ６との開閉状態を切り替えて、第１チャンバ２１の回収室２１ａで使用済透析液の回収を開始し、これとともに廃液弁Ｖ７と廃液弁Ｖ８との開閉状態を切り替えて、第２チャンバ２２の回収室２２ｂから使用済透析液の廃液を開始する。
そして制御手段５はこのような各開閉弁の切り替えを所定時間間隔毎に行うことで、第１チャンバ２１と第２チャンバ２２とを切り替えて、第１、第２チャンバ２１、２２において新鮮透析液の供給を受けて使用済透析液を排出することと、新鮮透析液を透析器２に供給して使用済透析液を回収することとを交互に繰り返すようになっている。
その際、透析器２における透析液の流通が途切れることがないよう、第１、第２チャンバ２１、２２の各供給室２１ａ、２２ａに収容されている新鮮透析液の全量が流出される前に、第１チャンバ２１と第２チャンバ２２とを切り替えるように時間設定している。
また第１、第２チャンバ２１、２２の切り替え時には、供給室への新鮮透析液の充填が完了しているようにするため、給液ポンプＰ４の送液流量を透析液ポンプＰ５の設定可能な最大流量よりも大きくしている。これにより、途切れることなく透析器２に透析液を流通させることができる。
さらに、本実施例の透析用監視装置１では、各チャンバ２１、２２の供給室２１ａ、２２ａから供給する新鮮透析液の供給流量を可変させることが可能となっており、供給流量の調節は透析液ポンプＰ５によって行い、制御手段５は入力される各チャンバ２１、２２の供給室２１ａ、２２ａから供給する新鮮透析液の供給流量に応じて透析液ポンプＰ５の流量を変更するようになっている。
そして供給流量を可変させる際には、上記制御手段５は第１チャンバ２１と第２チャンバ２２との切替タイミングを変更するようになっており、供給流量を増加させる際には、第１チャンバ２１と第２チャンバ２２との切り替え時間の間隔を短縮するようになっている。
【００１７】
次に、図２（ｂ）は透析治療中に血液から除水を行う際の動作を示している。
この図２（ｂ）も図２（ａ）と同様、第１チャンバ２１では接続した給液弁Ｖ１および廃液弁Ｖ７を開放して、供給室２１ａに新鮮透析液が流入するとともに回収室２１ｂから使用済透析液が排出され、第２チャンバ２２では接続した供給弁Ｖ４および回収弁Ｖ６を開放して、透析器２に新鮮透析液を供給するとともに、回収室２２ｂに使用済透析液を回収している状態を示している。
このような状態において、制御手段５は上記シリコーンオイルポンプＰ３を作動させて、第２チャンバ２２の可変容積室２２ｃのシリコーンオイルを、予め設定された除水量に応じた流量で、第１チャンバ２１の可変容積室２１ｃへと送液する。
これにより、第２チャンバ２２の可変容積室２２ｃの容積が減少するので、当該第２チャンバ２２の回収室２２ｂの容積が増大し、当該回収室２２ｂと透析液回収通路２５を介して連通した上記透析器２の透析液流路の圧力が低下し、相対的に血液流路の圧力が高まるため、中空糸膜を介して差圧が発生し、限外濾過により血液から除水が行われる。
ここで、上記除水量は患者毎に設定されるが、制御手段５はシリコーンオイルポンプＰ３の時間当たりの流量を制御することで、上記第１、第２チャンバ２１、２２を切り替えまでシリコーンオイルの送液を維持するようになっている。
そして制御手段５は、第１チャンバ２１と第２チャンバ２２との切り替えと同時に、シリコーンオイルポンプＰ３による送液方向を逆転させ、シリコーンオイルを次に新鮮透析液の供給を受ける第２チャンバ２２の可変容積室２２ｃへと送液させるようになっている。
【００１８】
一方第１チャンバ２１では、第２チャンバ２２の可変容積室２２ｃから送液されたシリコーンオイルによって、可変容積室２１ｃの容積が増大することとなる。
この場合、給液ポンプＰ４の送液量は透析液ポンプＰ５の送液量よりも高く設定されているため、第２チャンバ２２の回収室２２ｂに所定量の使用済透析液が回収される前に、上記第１チャンバ２１の供給室２１ａには所定量の新鮮透析液の充填が完了されている。
その結果、第１チャンバ２１の可変容積室２１ｃの容積が増大することによって第１チャンバ２１の内圧が上昇し、これにより当該第１チャンバ２１の供給室２１ａに収容されている新鮮透析液が給液通路２３に押し出されて給液通路２３の内圧を上昇させ、当該給液通路２３を構成するチューブの接続部で液漏れが生じたり、チューブが抜け落ちる危険性がある。
【００１９】
そこで本実施例では、上記給液通路２３に接続した流通路２８の第２開閉弁Ｖ１２を開放し、上記供給室２１ａおよび給液通路２３の内圧を逃がすようになっている。
具体的には、制御手段５は上記シリコーンオイルポンプＰ３の送液方向が逆転する第１チャンバ２１と第２チャンバ２２との切り替わり時、すなわち、供給室２１ａへの新鮮透析液の充填開始時から所定時間経過後に、上記第２開閉弁Ｖ１２を開放して圧力を逃がすようになっている。
上記所定時間とは予め制御手段５に登録されているが、例えば上記給液通路２３から上記第１、第２チャンバ２１、２２の供給室２１ａ、２２ａに所定量の新鮮透析液が充填される充填時間を目処に設定することができる。
また本実施例では、上記第２開閉弁Ｖ１２を開放してから所定時間経過した後、上記制御手段５は上記給液通路２３の第１開閉弁Ｖ１１を閉鎖するようになっている。
これにより、上記給液通路２３からの新鮮透析液の流通を一時的に停止させて、上記液通路２８を介して廃液通路２６に排出されてしまう新鮮透析液の流量を抑えるようになっている。
そして、上記制御手段５は、第１チャンバ２１と第２チャンバ２２とを切り替える直前に、上記第２開閉弁Ｖ１２を閉鎖し、上記第１開閉弁Ｖ１１を開放するようになっている。
【００２０】
さらに、本実施例における透析用監視装置１では、上記補充液通路６を用いて新鮮透析液を患者に供給するオンラインＨＤＦが可能となっており、上記補充液通路６に設けた置換液ポンプＰ２を作動させることで、透析液供給通路２４から第１、第２透析液フィルタＦ１、Ｆ２により清浄化した透析液を、直接血液回路３に流通させるようになっている。
オンラインＨＤＦでは、透析器２に流通させる透析液のほか、患者に供給する透析液が必要であることから、上記第１、第２チャンバ２１、２２からは通常の透析治療時よりもより多くの新鮮透析液を供給しなければならない。特に透析器２の上流側の動脈側通路１１に透析液を給する前希釈を行う場合は、大量の透析液が必要となる。
そこで、上記制御手段５は、オンラインＨＤＦを実施するにあたり、設定された透析液供給流量に従い透析液ポンプＰ５の送液流量を増加させ、かつ、第１チャンバ２１と第２チャンバ２２とを切り替える間隔を短縮させるとともに、第２開閉弁Ｖ１２を開放させるまでの所定時間を変更するようになっている。
例えば第２開閉弁Ｖ１２を開放させるタイミングを、各チャンバの供給室の充填が完了する時とした場合、上記所定時間とは、第１チャンバ２１と第２チャンバ２２とが切り替わった時、すなわち、給排ポンプＰ３が送液方向を切り替えた時から、供給室の充填が完了するまでの時間である。
そしてこの時間は、透析液ポンプＰ５に設定される透析液供給流量に、第１チャンバ２１と第２チャンバ２２との切り替え間隔時間を乗し、その値を給液ポンプＰ４に設定される新鮮透析液の送液流量で除することで求めることができる。
このように、透析液ポンプＰ５の送液流量および第１チャンバ２１と第２チャンバ２２との切り替え間隔が変更されると、給排ポンプＰ３が送液方向を切り替えてから圧力開放バルブである第２開閉弁Ｖ１２を開放させるまでの所定時間も変更されるようになっている。
【００２１】
そしてこのオンラインＨＤＦを行う間に血液から除水を行う場合も、図２（ｂ）に示すように、第１チャンバ２１の可変容積室２１ｃの容積が増大して供給室２１ａおよび給液通路２３の内圧が上昇してしまうことから、制御手段５は上記液通路２８の第２開閉弁Ｖ１２を開放し、その後給液通路２３の第１開閉弁Ｖ１１を閉鎖するようになっている。
このとき制御手段５は、オンラインＨＤＦを行うために補充液ポンプＰ２を作動させることに応じて、上記第１チャンバ２１と第２チャンバ２２とを切り替える間隔を短縮させるよう制御を変更し、これに伴って上記給排ポンプＰ３が送液方向を切り替えてから圧力開放バルブとしての上記第２開閉弁Ｖ１２を開放させるまでの時間を変更するようになっている。
なお本実施例では、上記補充液通路６の血液回路３側の端部は透析器２よりも上流側の動脈側通路１１に接続されているが、透析器２よりも下流側の静脈側通路１２に接続することも可能となっている。
その場合、補充液通路６に供給する透析液の流量は、動脈側通路１１に供給する場合に比べて少なく設定されるため、上記第１チャンバ２１と第２チャンバ２２とを切り替える間隔は長くなり、上記制御手段５はこれに合わせて第２開閉弁Ｖ１２を開放するタイミングを変更する。
【００２２】
上記実施例によれば、連通路２７によって接続された可変容積室２１ｃ、２２ｃを有する２つの第１、第２チャンバ２１、２２を備えた透析用監視装置１において、除水を行うために給排ポンプＰ３により一方から他方の可変容積室へシリコーンオイルを送液することによって、送液された可変容積室の容積が増大してチャンバの内圧が上昇した場合であっても、給液通路２３と廃液通路２６との間に設けた液通路２８の第２開閉弁Ｖ１２を開放することにより、内圧上昇による給液通路２３を構成するチューブの接続部における液漏れやチューブの抜け落ちを防止することができる。
また、圧力開放バルブを開閉弁からなる上記第２開閉弁Ｖ１２により構成し、その開閉動作を制御手段５により制御するよう構成することで、チャンバの内圧が高まり始めるタイミング、すなわち、供給室２１ａ、２２ａへの新鮮透析液の充填が完了するタイミングに合わせて第２開閉弁Ｖ１２を開放させることが可能となる。
特に、補充液通路６と補充液ポンプＰ２を設けてオンラインＨＤＦを行う場合には、第１、第２チャンバ２１、２２の供給室２１ａ、２２ａから供給する新鮮透析液の供給流量を増加させるが、制御手段５は、オンラインＨＤＦを行うために補充液ポンプＰ２を作動させることに応じて、上記第１チャンバ２１と第２チャンバ２２との切り替える間隔を短縮させ、これに伴って圧力開放バルブとしての上記第２開閉弁Ｖ１２を開放させるまでの時間を変更させることができるので、除水動作に伴って上昇する第１、第２チャンバ２１、２２や給液通路２３の内圧を逃すことが可能となる。
【００２３】
なお、上記実施例において、上記圧力開放バルブとしての第２開閉弁Ｖ１２については、これを所定以上の圧力が作用することで開放される逆止弁などの圧力開放バルブとしてもよく、上記給液通路２３の内圧が上昇した際にこの内圧を逃がす構成を有するものを採用することができる。
【符号の説明】
【００２４】
１  透析用監視装置                  ２  透析器
３  血液回路                        ４  透析液回路
５  補充液通路                      ２１、２２  第１、第２チャンバ
２１ａ、２２ａ  供給室              ２１ｂ、２２ｂ  回収室
２１ｃ、２２ｃ  可変容積室          ２３  給液通路
２６  廃液通路                      ２８  液通路
Ｐ３  シリコーンオイルポンプ        Ｐ４  給液ポンプ
Ｖ１２  第２開閉弁（圧力開放バルブ）
【図１】
2014008143.tif 000003
【図２】
2014008143.tif 000004